(57)【特許請求の範囲】
【請求項１】
シリアルデータバスに接続することができる複数の電子機器でネットワークを構築するシステムであって、
前記電子機器は制御装置とテープ再生装置とからなり、前記制御装置はＡＶ／Ｃコマンドを用いて前記テープ再生装置のテープ上に記録されているＶＩＳＳ信号をサーチするようにしたこと
を特徴とするデジタルインターフェイス制御機能を備えた電子機器。
【請求項２】
前記ＶＩＳＳ信号のサーチは、テープの頭だしであること
を特徴とする請求項１に記載のデジタルインターフェイス制御機能を備えた電子機器。
【請求項３】
前記シリアルデータバスは、ＩＥＥＥ１３４９シリアルデータバスであること
を特徴とする請求項１に記載のデジタルインターフェイス制御機能を備えた電子機器。
【請求項４】
前記制御装置からのＡＶ／Ｃコマンドは、先ずＢａｃｋｗａｒｄ／Ｆｏｒｗａｒｄコマンドを送出し、前記ビデオ再生装置のＶＩＳＳサーチが終了した時のレスポンス”Ａｃｃｅｐｔｅｄ”を受信した後に、Ｐｌａｙコマンドを送出するようにしたこと
を特徴とする請求項１に記載のデジタルインターフェイス制御機能を備えた電子機器。
【発明の詳細な説明】
【０００１】
【発明の属する技術分野】
本発明は、デジタルインターフェイス制御機能を備えた電子機器に関するものであり、特にデジタルデータバスを介してテープ再生装置のＶＩＳＳサーチを行うようにした電子機器に関する。
【０００２】
【従来の技術】
従来技術において、ビデオテープ再生装置に搭載されているＶＩＳＳサーチ、即ち、”頭だし機能”は「サーチ＋／−」ボタンを操作者が一回押すだけで番組の頭に記録されているコントロール信号内のＶＩＳＳ信号を検出し、その位置から自動的に再生を始める。即ち、図４に示すように、通常のＶＩＳＳ信号を検出して頭出しをする場合には、再生装置にテープをローデイングした状態にしておき、「サーチ＋／−」キーをユーザが押すと、ストップ状態のテープが動きだしＶＩＳＳ信号をサーチする。テープが動いてＶＩＳＳ信号を検出すると、再生装置１２はＶＩＳＳサーチの動作から再生（Ｐｌａｙｂａｃｋ）動作に遷移する。
【０００３】
又、ＶＩＳＳサーチの途中で中断された場合は、図５に示すように、先ず、再生装置の「サーチ＋／−」ボタンをユーザが押すとテープが駆動されＶＩＳＳサーチが開始する。ＶＩＳＳサーチの途中でストップボタン等が押されるとその場でテープはストップ状態になり再生は実行されない。
【０００４】
一方、ＩＥＥＥ１３９４シリアルデータバスに接続されている再生装置におけるＶＩＳＳサーチは、バスに接続されている電子機器に備えてあるデジタルインターフェイスに存在するプロトコルＦｏｒｗａｒｄ／Ｂａｃｋｗａｒｄコマンドを実行することができる。このコマンドを実行すると、ＶＩＳＳサーチを行った後に再生一時停止に遷移させるように取り決められている。これは、目的とするプロセス形態を厳格に解釈しようとしたものであり、例えば、頭だし機能は頭だしをすることだけに重点がおかれ、その頭だしをした後のアクションは別問題として処理されているからである。
【０００５】
【発明が解決しようとする課題】
しかしながら、従来技術のように定義通りのプロトコルのままでは、頭だしをした後に一時停止した状態になるため、操作者はわざわざ再生ボタンを押さなくてはならず、テープ再生装置本体とＩＥＥＥ１３９４プロトコルを用いて操作した場合で違いが生じるため混乱するという問題がある。
【０００６】
又、上記問題を踏まえて、バスを介してＦｏｒｗａｒｄ／Ｂａｃｋｗａｒｄコマンド、Ｐｌａｙコマンドを併用した場合でも、Ｐｌａｙコマンドを受信側に送信するタイミングを掴むには、同様にＩＥＥＥ１３９４シリアルデータバスで定義されているＴｒａｎｓｐｏｒｔ  Ｓｔａｔｅコマンドにて再生一時停止を確認しなければならない。それでも、操作者がサーチ中に再生一時停止にした場合であってもＰｌａｙコマンドを送信してしまうという不具合が考えられる。
【０００７】
従って、バスを介して接続されている複数の電子機器の中にテープ再生装置が存在する場合に、その記録されたテープのＶＩＳＳ信号を利用して頭だし機能を行うことは勿論のこと、バスを介したＶＩＳＳサーチと直接テープ再生装置を操作するＶＩＳＳサーチとが同一動作になることに解決しなければならない課題を有する。
【０００８】
【課題を解決するための手段】
上記課題を解決するために、本願発明に係るデジタルインターフェイス制御機能を備えた電子機器は、シリアルデータバスに接続することができる複数の電子機器でネットワークを構築するシステムであって、前記電子機器は制御装置とテープ再生装置とからなり、前記制御装置はＡＶ／Ｃコマンドを用いて前記テープ再生装置のテープ上に記録されているＶＩＳＳ信号をサーチするようにしたことである。
【０００９】
又、前記ＶＩＳＳ信号のサーチは、テープの頭だしであることであり、前記シリアルデータバスは、ＩＥＥＥ１３４９シリアルデータバスであることであり、また、前記制御装置からのＡＶ／Ｃコマンドは、先ずＢａｃｋｗａｒｄ／Ｆｏｒｗａｒｄコマンドを送出し、前記ビデオ再生装置のＶＩＳＳサーチが終了した時のレスポンス”Ａｃｃｅｐｔｅｄ”を受信した後に、Ｐｌａｙコマンドを送出するようにしたことである。
【００１０】
このように、シリアルデータバスに接続されているテープ再生装置におけるＶＩＳＳサーチをＡＶ／Ｃコマンドを用いて行うことにより、テープ再生装置側を観測することなく、このコマンドをかけることが可能になり、別途ソフトウェアの開発等を簡略化することができる。
【００１１】
【発明の実施の形態】
次に、本発明に係るデジタルインターフェイス制御機能を備えた電子機器の実施の形態について図面を参照して説明する。尚、従来技術で説明したものと同じものには同一符号をつけて説明する。
【００１２】
本願発明に係るデジタルインターフェイス制御機能を備えた電子機器からなるデジタルＡＶシステムは、図１に示すように、ＩＥＥＥ１３９４シリアルデータバスに接続した制御装置１１及び再生装置１２とから構成されている。制御装置１１は、バスによるネットを構築する際のコントローラとして機能するもので、デジタル衛星放送受信機であるＩＲＤ（Ｉｎｔｅｇｒａｔｅｄ  ＲｅｃｉｖｅｒＤｅｃｏｄｅｒ）、セットトップボックス（ＳＴＢ）、コンピュータＰＣ等が相当する。再生装置１２は、記録されているテープを再生する装置でありデジタルビデオレコーダ（ＤＶＣＲ）、デジタルビデオホームシステム（ＤＶＨＳ）等が相当し、独自で駆動することもできるし、制御装置１１からの指示に基づいてバスを介して駆動するようにしてもよい。又、この再生装置１２は、テープレコーダ／プレイヤサブユニットを搭載しており、このサブユニットには少なくともＢａｃｋｗａｒｄ／Ｆｏｒｗａｒｄコマンド及びＰｌａｙコマンドを実行することができるようになっている。Ｂａｃｋｗａｒｄ／Ｆｏｒｗａｒｄコマンドは、ＶＩＳＳサーチをした後に再生一時停止させるコマンドであり、Ｐｌａｙコマンドは再生させるコマンドである。
【００１３】
一方、ＩＥＥＥ１３９４シリアルデータバスを介してデジタルデータを送受信させるためのデジタルインターフェイスには、ＩＥＥＥ１３４９プロトコルのＡＶ／Ｃコマンドを実行させることができる。このＡＶ／Ｃコマンドは、上記Ｂａｃｋｗａｒｄ／ＦｏｒｗａｒｄコマンドやＰｌａｙコマンドを実行させ、その応答を得て、次のステップのコントロール等を行うことができるものである。
【００１４】
図２は、バスを介したＶＩＳＳサーチの成功例を示したものであり、先ず、制御装置１１においてユーザがＶＩＳＳサーチの指示をすると、ＡＶ／Ｃコマンドがバスを介してＢａｃｋｗａｒｄ／Ｆｏｒｗａｒｄコントロールコマンドがテープ再生装置１２側に送出する。このＢａｃｋｗａｒｄ／Ｆｏｒｗａｒｄコントロールコマンドを受信したテープ再生装置１２はストップ状態のテープを駆動させＶＩＳＳサーチ動作に遷移すると同時にレスポンス”Ｉｎｔｅｒｉｍ”を制御装置１１側に送信する。制御装置１１側はこの”Ｉｎｔｅｒｉｍ”を受信するとテープ再生装置１２からのＶＩＳＳサーチ成功の時の”Ａｃｃｅｐｔｅｄ”又はＶＩＳＳサーチ失敗した時の”Ｒｅｊｅｃｔ”の応答がくるまで他処理等を行うことができる。
【００１５】
再生装置１２側においてＶＩＳＳサーチが成功すると、テープは再生一時停止、即ち、停止し再生ポーズの状態に遷移し、レスポンス”Ａｃｃｅｐｔｅｄ”を制御装置１１側に送る。
【００１６】
制御装置１１側は、”Ａｃｃｅｐｔｅｄ”を受信すると、テープ再生装置１２側はＶＩＳＳサーチが成功したこと、即ち、頭出しが完了したものと判断して、次にＰｌａｙコントロールコマンドを再生装置１２側に送出する。
【００１７】
テープ再生装置１２側は、Ｐｌａｙコントロールコマンドを受信するとテープが再生ポーズの状態から再生を始めると共にレスポンス”Ａｃｃｅｐｔｅｄ”を制御装置１１側に送り、一連のＡＶ／ＣコマンドによるＶＩＳＳサーチ制御は完了する。
【００１８】
このようにして、ＶＩＳＳサーチを行う際に、実際にテープ再生装置１２の「サーチ＋／−」ボタンを押したものと同様にＶＩＳＳサーチをして頭出しを行った後に再生することができるのである。
【００１９】
次に、図３に示すように、ＶＩＳＳサーチが失敗した時のＡＶ／Ｃコマンドの制御について説明する。
【００２０】
先ず、制御装置１１においてユーザがＶＩＳＳサーチの指示をすると、ＡＶ／Ｃコマンドがバスを介してＢａｃｋｗａｒｄ／Ｆｏｒｗａｒｄコントロールコマンドをテープ再生装置１２側に送出する。このＢａｃｋｗａｒｄ／Ｆｏｒｗａｒｄコントロールコマンドを受信した再生装置１２はストップ状態のテープを駆動させＶＩＳＳサーチの動作に遷移すると同時にレスポンス”Ｉｎｔｅｒｉｍ”を制御装置１１側に送信する。制御装置１１側はこの”Ｉｎｔｅｒｉｍ”を受信すると再生装置１２からのＶＩＳＳサーチ成功の時の”Ａｃｃｅｐｔｅｄ”又はＶＩＳＳサーチ失敗した時の”Ｒｅｊｅｃｔ”の応答がくるまで他の処理を行う。
【００２１】
再生装置１２側においてＶＩＳＳサーチ中に装置本体のキー入力等が行われると、ＶＩＳＳサーチが中断し、テープはその場でストップすると同時に、制御装置１１側に、レスポンス”Ｒｅｊｅｃｔｅｄ”を制御装置１１側に送る。
【００２２】
制御装置１１側は、”Ｒｅｊｅｃｔｅｄ”を受信すると、テープ再生装置１２側はＶＩＳＳサーチが失敗したことを確認してテープ再生装置１２側には何も送ることなくＶＩＳＳサーチは終了する。
【００２３】
【発明の効果】
以上説明したように、本発明に係るデジタルインターフェイス制御機能を備えた電子機器は、ＡＶ／Ｃコマンドを使用して、テープ再生装置のＶＩＳＳサーチを行うようにしたことにより、テープ再生装置に搭載されている機能の一つである”頭出し機能”と同等の機能をバスを介して実現することができるため、ネットを構築したシステムであっても操作による動作と同等の動作を行うことができるという効果がある。
【００２４】
又、制御装置側からのＶＩＳＳサーチの指示をした後は、テープ再生装置側からの”Ａｃｃｅｐｔｅｄ”又は”Ｒｅｊｅｃｔｅｄ”のレスポンスに応じて次の動作を指示又は終了するようにしたことにより、ＶＩＳＳサーチを指示した後に両者間で占有状態になることがないため、テープ再生装置側を常時監視する必要がないため、その分ソフトウエア等を簡略化できるという効果がある。
【図面の簡単な説明】
【図１】本発明に係る制御装置とテープ再生装置とをＩＥＥＥ１３９４シリアルデータバスで接続した様子を示した説明図である。
【図２】同制御装置とテープ再生装置間におけるＡＶ／ＣコマンドによりＶＩＳＳサーチの成功例を示した説明図である。
【図３】同制御装置とテープ再生装置間におけるＡＶ／ＣコマンドによりＶＩＳＳサーチの失敗例を示した説明図である。
【図４】従来技術におけるテープ再生装置自身におけるＶＩＳＳサーチの成功例を示した説明図である。
【図５】従来技術におけるテープ再生装置自身におけるＶＩＳＳサーチが中断された時の失敗例を示した説明図である。
【符号の説明】
１１；制御装置、１２；テープ再生装置
【図１】
0004117669.tif 000002
【図２】
0004117669.tif 000003
【図３】
0004117669.tif 000004
【図４】
0004117669.tif 000005
【図５】
0004117669.tif 000006